(57)【要約】【課題】球戻り防止片６の複雑な曲げ処理を廃止し、破損自体を少なくして耐久性を向上させると共に、たとえ破損しても迅速な交換が行えるようにする。【解決手段】球戻り防止片６は、平面的な被係止部６Ｂをホルダー６０の係止手段６２に係止させ、基端側において同ホルダーの姿勢保持手段６３により所定姿勢に保持させる。被係止部６Ｂは平面的なものであり、曲げ加工は要しない。また、姿勢も姿勢保持手段により所定のものに保たれる。こうして、球戻り防止片６の強制的且つ複雑な曲げ加工を排除し、その破損を低減すると共に耐久性を向上させる。そして、ホルダー６０をガイドレール側のホルダー受部に嵌合することにより、簡易に取付け得るようにした。【選択図】図３
2007021265.tif 000002
【特許請求の範囲】
【請求項１】
遊技領域に臨むガイドレールの臨接部に、遊技領域からの遊技球の戻りを防止する球戻り防止片を設けた弾球遊技機の球戻り防止装置において、球戻り防止片に設ける平面的な被係止部を係止させる係止手段と、球戻り防止片を所定姿勢に保持させる姿勢保持手段とをもつホルダーを設けて、このホルダーに球戻り防止片を係止及び保持させて、ガイドレール側に設けるホルダー受部に着脱自在に嵌合することを特徴とする弾球遊技機の球戻り防止装置。
【請求項２】
姿勢保持手段は、係止手段による係止点を支点の一つに含み、球戻り防止片を山形に撓ませる３点支持機構から成る請求項１記載の弾球遊技機の球戻り防止装置。
【請求項３】
ホルダーは、ホルダー受部に設けるピン孔に挿入するピンと、ホルダー受部に設ける係合部に係合して離脱を阻止する係合爪を備える請求項１又は２記載の弾球遊技機の球戻り防止装置。
【発明の詳細な説明】
【技術分野】
【０００１】
本発明は、パチンコ遊技機、アレンジボール遊技機、雀球遊技機等のいわゆる弾球遊技機に具備させる球戻り防止装置に関する。
【背景技術】
【０００２】
従来、この種球戻り防止装置に備える薄板状の球戻り防止片は、基端側端部を筒状に丸めたり直角に折り曲げたりして係止部とし、この係止部をガイドレールやホルダーに設ける係止孔に係止させている（たとえば、特許文献１参照。）。これと共に、球戻り防止片の基端側途中部をガイドレールの挟込み部分に挿入してネジ等によりその挟込み状態を保持させたり、基端側全体をホルダーに保持させてホルダーごとガイドレール側にネジ止めしたりしている。そして、球戻り防止片の取付後に、手曲げ作業によって球戻り防止片を所定の傾斜姿勢或は湾曲姿勢に調整するようにしている。
【特許文献１】特開平７−１７１２４５号公報
【発明の開示】
【発明が解決しようとする課題】
【０００３】
しかし、以上のものでは、球戻り防止片の曲げ処理箇所が多く、それだけ加工が煩雑であると共に、破損し易く、耐久性に欠ける問題がある。このため、球戻り防止片に割れ等が生じて、遊技場で交換が必要になる場合があるが、ネジの取外し及び再度のネジ締め、手曲げによる姿勢調整といった煩雑な作業を行う必要があり、迅速な対応をとり難い問題がある。
【０００４】
本発明の主目的は、球戻り防止片の複雑な曲げ処理を廃止し、破損自体を少なくして耐久性を向上させると共に、たとえ破損しても迅速な交換が行える弾球遊技機の球戻り防止装置を提供する点にある。
【課題を解決するための手段】
【０００５】
請求項１記載の発明は、上記主目的を達成するため、遊技領域に臨むガイドレールの臨接部に、遊技領域からの遊技球の戻りを防止する球戻り防止片を設けた弾球遊技機の球戻り防止装置において、球戻り防止片に設ける平面的な被係止部を係止させる係止手段と、球戻り防止片を所定姿勢に保持させる姿勢保持手段とをもつホルダーを設けて、このホルダーに球戻り防止片を係止及び保持させて、ガイドレール側に設けるホルダー受部に着脱自在に嵌合する構成にした。平面的な被係止部には、切欠き、穴、凸状の張出し、一体のフック等が含まれる。
【０００６】
請求項２記載の発明は、球戻り防止片の所定姿勢を良好に作り出すため、姿勢保持手段は、係止手段による係止点を支点の一つに含み、球戻り防止片を山形に撓ませる３点支持機構から成るものとした。係止手段による係止点を頂点とし、他の２点をその両側すなわち球戻り防止片の基端側及び反基端側に位置させるものとする他、係止手段による係止点を球戻り防止片の基端側あるいは反基端側の何れかの支点としてもよい。
【０００７】
請求項３記載の発明は、ホルダーをホルダー受部に良好に取付けるため、ホルダーは、ホルダー受部に設けるピン孔に挿入するピンと、ホルダー受部に設ける係合部に係合して離脱を阻止する係合爪を備えるものとした。係合爪は、一対すなわち２つ設けるのが好ましいが、１つ以上あればよい。
【発明の効果】
【０００８】
請求項１記載の発明では、球戻り防止片は、その平面的な被係止部をホルダーの係止手段に係止させ、所定姿勢で同ホルダーの姿勢保持手段に保持される。被係止部は平面的なものであり、曲げ加工は要しない。また、姿勢もホルダーの姿勢保持手段により所定のものに保たれる。こうして、球戻り防止片の強制的且つ複雑な曲げ加工を排除したから、球戻り防止片の破損を低減できると共に耐久性を向上できる。そして、球戻り防止片を係止及び保持するホルダーをホルダー受部に嵌合することにより、ガイドレールの所定位置に球戻り防止片を所定姿勢で簡易に取付けることができ、たとえ破損しても迅速な交換が可能になる。
【０００９】
請求項２記載の発明では、球戻り防止片は、３点支持機構により、係止手段の係止点を支点の一つとする山型に撓ませられるため、所定姿勢を良好に保持できる。また、ホルダーの係止手段を姿勢保持手段たる３点支持機構の一つの支点に利用するから、構造を有機的に活用でき、構成の簡易化及び小型化が図れる。
【００１０】
請求項３記載の発明では、ピンによる位置決めと係合爪による係合とにより、ホルダーをホルダー受部に脱落や位置ズレなく良好に取付けることができる。
【発明を実施するための最良の形態】
【００１１】
図１において、１は遊技盤２を構成する透明な樹脂製の基盤である。厚みを例えば１０ｍｍ程度とした平板を用いている。基盤１には、遊技球を案内する樹脂製のガイドレール２０を設けている。ガイドレール２０は、発射装置から打ち出す遊技球を遊技領域に導く略半円弧状の外レール２Ａと、これに連続し、遊技領域の右側を区画する略３分の１円弧状の中レール２Ｂと、外レール２Ａの内側において遊技領域の左側を区画する略３分の１円弧状の内レール２Ｃを具備する。
【００１２】
遊技領域に臨むガイドレール２０の臨接部となる内レール２Ｂの端部には、遊技領域からの遊技球の戻りを防止する球戻り防止片６を設けている。外レール２Ａにおける遊技球の弾道方向下流側の端部には、球止め８を一体成型により一体化していると共に、その上流側の球入口部２Ａｅの近傍には、遊技球の飛び出しを阻止する球カバー９を一体成型により一体化している。
【００１３】
ガイドレール２０で囲まれる遊技領域には、特別図柄表示装置２１、その可変表示を起動する第１種始動口上２２Ｕ、同じく可変表示を起動する電動チューリップから成る第１種始動口下２２Ｄ、始動入賞を４つまで記憶する記憶ＬＥＤ２３、特別図柄表示装置２１上で数字等が３列全て揃う大当たりが発生した時に開放されるアタッカ２４、第１種始動口下２２Ｄを開成させる抽選を起動するゲート右２５Ｒ及びゲート左２５Ｌ、上下左右４個の一般入賞口２６Ａ〜Ｄ、盤面サイドランプ２７Ｒ，Ｌ、４個の風車２８Ａ〜Ｄ、アウト口２９を設けている。遊技釘７は多数にのぼるため、一部のみ描いている。
【００１４】
図２に示すように、球戻り防止片６は、舌状の形を呈する薄板から成る。遊技盤面と対向する対向辺６Ａは、先端がやや斜め内側に切り込むようにカットされており、先端の幅が狭くなっている。対向辺６Ａの基端側には、丸穴角部を有する矩形凹所から成る平面的な被係止部６Ｂを設けている。全体はバネ綱等により形成されており、プレスにより一括して打ち抜かれる。この球戻り防止片６は、ホルダー６０に係止及び保持される。
【００１５】
図３に示すように、ホルダー６０は、頂面側の基板６１に、球戻り防止片６の被係止部６Ｂを係止させる係止手段６２、球戻り防止片６を山形に撓ませて所定の傾斜姿勢に保持させる姿勢保持手段６３、ホルダー受部側に対する位置決め用のピン６４、ホルダー受部側に係合する一対の係合爪６５，６６、ホルダー受部側への挿入ガイドを兼用する球戻り防止片６の基端側サポート壁部６７を一体に具備する。全体は、半透明樹脂を用いた一体成型品から成る。
【００１６】
図４及び図５にも示すように、係止手段６２は、球戻り防止片６における係止部６Ｂ形成部位の残部平面を腹に当てる縦壁部６２１、被係止部６Ｂに突入する爪部６２２、平面Ｌ形を呈する補強壁部６２３を有する。姿勢保持手段６３は、平面的に見て、係止手段６２による係止点すなわち爪部６２２或は縦壁部６２１の介在位置を頂点６３１に球戻り防止片６を山形に撓ませる３点支持機構を構成するものであり、頂点６３１を挟んで球戻り防止片６の基端側に位置する小幅な基端側支点部材６３２、反基端側に位置する広幅でエッジに丸みをつけた反基端側支点部材６３３を有する。小幅な基端側支点部材６３２は、一方側の係合爪６６の内側に一体化している。
【００１７】
こうして、球戻り防止片６をホルダー６０に係止及び保持させた状態にして、内レール２Ｃの先端に設けるホルダー受部６００にホルダー６０を嵌合する。ホルダー受部６００は、ホルダー６０の基板６１が蓋になる箱状のケース形態を呈し、ピン６４を挿入させるピン孔６０４、各係合爪６５，６６を係合させる矩形状係合孔から成る係合部６０５，６０６、球戻り防止片６の先端側を受入れるスリット６０８、球戻り防止片６の基端側を支点部材６３２の反対側において受入れるサポート部材６０９を備える。
【００１８】
図６は、以上の球戻り防止装置を具備する遊技盤を組込んだパチンコ遊技機である。盤面を流下する遊技球を封入式にして遊技者の手元球と分離し、クレジット機能により手元球を遊技球に変換して遊技を楽しむものである。遊技機本体１００に隣接する現金サンド２００の紙幣投入口２０１又は硬貨投入口２０２に現金を投入すると、所定個数の貸球が供給ノズル２０３、投入口６Ｊを経て下皿４に払い出される。例えば５００円なら１２５個の貸球を受け得る。いわゆるＣＲ仕様の場合、現金サンドに代わるＣＲサンドにカードを挿入し、操作パネル１１０の第１表示部１１１に表れるカード残度数の範囲内で、貸球スイッチ１２０を一回押すごとに５００円分の貸球を下皿４に受け得る。返却スイッチ１３０を押すと、ＣＲサンドからカードが返却される。
【００１９】
操作パネル１１０上の自動供給スイッチ１５０又は手動供給スイッチ１６０を押すと、下皿４の奥行方向内方に設ける排出装置５が作動し、下皿４の球が島に強制排出される。この排出する球数に等しい数だけクレジット度数が増加し、第３表示部１１３に表示される。自動供給の場合、クレジットが１０以下であると、最大２５０になるまで下皿４からの排出球を自動的にカウントし、クレジットを増加させる。手動供給の場合、手動供給スイッチ１６０を押している間だけ或は押した回数に所定の倍数を乗じた数だけ排出球をカウントし、同じく最大２５０の範囲内でクレジットを増加させる。
【００２０】
遊技機本体１００内の封入遊技球数は２５〜３０個であるが、クレジット度数に応じたのべ個数の封入遊技球を用いて遊技をすることができる。発射ハンドル１０の操作により内蔵するソレノイド式の発射装置から球を打ち出し、二重構造のフロントガラス２０Ａ，２０Ｂの内方に設ける遊技盤２に球を流下させる。そして、入賞球或はアウト球となった遊技球は内蔵する球循環装置により再び発射装置に循環させる。図６中、ａ２６は発射停止スイッチ、１１２はトラブル時のエラー符号を表示する第２表示部、１４０はクレジット残分に見合う数の球を下皿４に払い出す清算スイッチ、９は灰皿、４０は受皿４の球を遊技者の手元側のドル箱に入れる押ボタン式の球抜操作具、１８３はドア鍵部である。
【００２１】
図７に示すように、遊技盤２の裏には、特別図柄表示装置２１を配置する他、入賞球通路及び集合樋２２０を設けている。各一般入賞口２６Ａ〜Ｄの入賞球は、流下樋２２１〜２２４及び入賞球検知スイッチ１〜４（ａ４〜７）を通って集合樋２２０に開放される。始動口上２２Ｕに入賞した球は、流下樋２２６から第１種始動口上スイッチａ１を通過した後、集合樋２２０に開放される。始動口下２２Ｄに入賞した球は、電チュー検知スイッチａ３を経て流下樋２２７から第１種始動口下スイッチａ２を通過した後、集合樋２２０に開放される。アタッカ２４に入賞した球はカウントスイッチａ１１を通過した後、流下樋２２８から集合樋２２０に開放される。
【００２２】
集合樋２２０に集められた入賞球は、入賞球検知スイッチ５（ａ８）を通過した後、球循環装置側に落ちる。アウト口２９の球は直接球循環装置側に落ちる。カウントスイッチａ１１は、アタッカ２４への入賞球が１０個になるとアタッカ２４を閉じる機能をもつと共に、アタッカ２４の最大開放時間３０秒のうち、開放当初の５秒間、開放後１５秒〜２０秒の５秒間に設定したＶ入賞タイミングに１球でも入賞があると、アタッカ２４を最大１６回の繰り返しを限度に再開放させる機能をもつ。アタッカ２４への入賞球１個当たりの賞球数は例えば１５個、その他は例えば６個に設定している。尚、各入賞口２６Ａ〜Ｄに対応させた個別の入賞検知スイッチ１〜４（ａ４〜ａ７）は省略することもできる。
【００２３】
図７中、ＬＬＢはサイドＬＥＤ左基板、ＬＲＢはサイドＬＥＤ右基板、ＬＭＢは記憶ＬＥＤ基板、ＬＥＢは電チュー用ＬＥＤ基板、ＬＶＢはＶ−ＬＥＤ基板、ＬＡＢは大入賞口ＬＥＤ左基板、ＬＢＢは大入賞口ＬＥＤ右基板である。また、ａ９はゲート右２５Ｒのスイッチ、ａ１０はゲート左２５Ｌのスイッチである。
【００２４】
以上の実施形態では、封入球式のパチンコ遊技機の球戻り防止装置に適用したが、上皿と下皿をもち、上皿の遊技球を発射ソレノイドに導いて遊技盤に打ち出す通常のパチンコ遊技機の球戻り防止装置に適用しても勿論よい。また、パチンコ遊技機に限らず、アレンジボール遊技機、雀球遊技機等の他の弾球遊技機の球戻り防止装置に適用しても勿論よい。
【図面の簡単な説明】
【００２５】
【図１】本発明球戻り防止装置を具備する遊技盤の正面図。
【図２】球戻り防止片をホルダーに組付ける様子を示す側面図。
【図３】同組付完了状態を示す斜視図。
【図４】ホルダーをホルダー受部に組付ける様子を示す側面図。
【図５】同平面図。
【図６】球戻り防止装置を具備する遊技盤を組込んだ弾球遊技機の正面図。
【図７】遊技盤の背面図。
【符号の説明】
【００２６】
６；球戻り防止片
６０；ホルダー、６２；係止手段、６３；姿勢保持手段
６４；ピン、６５，６６；係合爪、６００；ホルダー受部
【図１】
2007021265.tif 000003
【図２】
2007021265.tif 000004
【図３】
2007021265.tif 000005
【図４】
2007021265.tif 000006
【図５】
2007021265.tif 000007
【図６】
2007021265.tif 000008
【図７】
2007021265.tif 000009